(57)【特許請求の範囲】
【請求項１】
室内（５）の壁などに対向させて配置した２つの電極（１）,（２）と、該電極（１）,（２）間にプラスとマイナスの直流で６Ｖ〜１２Ｖの低電圧を印加させると共に７０μA〜１６０μAの微弱電流を流すための線材（３）及び電源装置（４）とから構成したことを特徴とする室内消臭装置。
【請求項２】
前記電極（１）,（２）が、銅板又はキリンス処理したステンレス板或いは銀メッキを施した銅板の内の１つである請求項１記載の室内消臭装置。
【請求項３】
前記電極（１）,（２）が、銅又はステンレスの網体或いは線材であり、且つそれを対向或いは少し離して配置させた請求項１記載の室内消臭装置。
【発明の詳細な説明】
【０００１】
【発明の属する技術分野】
本発明は直流の低電圧で且つ微弱電流を電極に常時流して、室内の悪臭や異臭を電気的に除去するための室内消臭装置に関する。
【０００２】
【従来の技術】
従来、室内の悪臭や異臭を電気的に除去するための室内消臭装置としては、オゾン発生器と触媒を備え、そのオゾン発生器から発生したオゾンを室内の空気と反応させて、その空気に含まれた悪臭や異臭の成分を分解除去し、更に人体に有害な残余のオゾンを触媒により分解するようにした構造のものであり、またイオンやオゾンを発生する簡易な装置なども市販されている。
【０００３】
【発明が解決しようとする課題】
しかしながら、前記オゾン発生器と触媒を備えた室内消臭装置は装置全体の構造が複雑で大掛かりなものであった。また市販されている簡易なイオン発生装置やオゾン発生装置は必ず高電圧などを印加しなければならず、取扱いや維持管理が簡単に出来ず、且つ危険を生じる恐れがある等の問題点があった。
【０００４】
本発明は取扱いや維持管理が極めて容易で安全なものとなり、且つ極めて簡単な構造である室内消臭装置を提供することを目的とする。
【０００５】
【課題を解決するための手段】
上記問題点を解決するために本発明は成されたものであり、つまり、室内の壁などに対向させて配置した２つの電極と、該電極間にプラスとマイナスの直流で６Ｖ〜１２Ｖの低電圧を印加させると共に７０μA〜１６０μAの微弱電流を流すための線材及び電源装置とから構成する。この電極としては、銅板又はキリンス処理したステンレス板或いは銀メッキを施した銅板の内の１つとすれば良く、又、電極として銅又はステンレスの網体或いは線材を用いると共にそれを対向或いは少し離して配置させても良い。尚、本発明で言う「少し離して配置」とは、電極が接触しない間隔以上を少なくとも保持する状態を指す。
【０００６】
【発明の実施の形態】
図１は本発明の実施形態の要部構造を示す図であり、これに基づき説明する。（１）,（２）は室内（５）の壁などに対向させて配置した２枚の板状の電極であり、該電極（１）,（２）には、銅板又は酸洗いの一種であるキリンス処理したステンレス板或いは銀メッキを施した銅板の内の１つを用い、その電極（１）,（２）間にはプラスとマイナスの直流で６Ｖ〜１２Ｖの低電圧を印加させて使用する。この電極（１）,（２）の大きさとしては、例えば幅が２０cmで、長さが３０cmのものを用いると良いが、この大きさは一例であり、これに限定されるものではない。また前記板状の電極（１）,（２）の配置は対向させずに、少し離して直角方向に配置させても良い。特に電極（１）,（２）を近くに配置させても良いが、この時には銅又はステンレスの網体或いは線材を電極（１）,（２）として用いると良い（図３参照）。（３）は線材であり、（４）は電極（１）,（２）間にプラスとマイナスの直流の低電圧を印加させると共に微弱電流を流すための電源装置であり、その低電圧としては６Ｖ〜１２Ｖを印加し、微弱電流としては７０μA〜１６０μAを流す能力のあるものであれば良い。前記電源装置（４）の構造としては、ＡＣ１００Ｖを６Ｖ或いは１２Ｖに変圧するトランス（41）と、該トランス（41）で６Ｖ或いは１２Ｖに変圧したものを交流から直流に変換するための整流器（42）と、パイロットランプ（43）と、６Ｖ或いは１２Ｖの切替スイッチ（44）と、ヒュ−ズ（45）と、ＡＣ１００Ｖを通電するか或いは切るかを選択する電源スイッチ（46）などから構成されている（図２参照）。尚、本発明で使用する直流の低電圧が６Ｖで７０μA以下になると消臭効果が激減し、１２Ｖで１６０μA以上になると、人体に触れた際の安全性に問題を生ずる恐れがある。又、前記電源装置（４）は上記の構造に限定されるものではなく、例えば電源として交流を使用せず、直接に乾電池や他の電源装置で直流を得たり、或いは６Ｖで７０μA〜１２Ｖで１６０μA迄の低電圧と微弱電流が確保出来るものであれば、他の構造でも良い。
【０００７】
次に本発明の使用方法について説明すると、予め室内（５）の壁に対向させて板状の電極（１）,（２）を配置し、電源装置（４）を室内（５）或いは室外の適宜場所に設置させておく。先ず始めに電源スイッチ（46）を入れて通電すると、切替スイッチ（44）が１２Ｖ側に入っていれば、直流の１２Ｖ低電圧のプラスとマイナスが電極（１）,（２）間にそれぞれ別に印加される。すると、詳細な理由は不明であるが、高電圧，高電流を使用しなくても、低電圧の直流の自己放電作用（本発明に於いては徐々に空中放電される状態を指す）を生じ、悪臭や異臭などの嫌な臭いが電位の変化やイオン化した空気によって気にならない程度まで消臭効果が発揮されると考えられると共に臭気成分を持つマイナスイオンがプラス電極（１）へ、またプラスイオンがマイナス電極（２）へ付着されて、悪臭や異臭の発生を徐々に押えて気にならない程度まで消臭効果が発揮されると考えられる。この時、１ヵ月前後経過すると電極（１）,（２）の表面が黒ずんでくる。この黒ずむ現象は臭いの分子が付着するためと考えられる。前記電極（１）,（２）の表面が黒ずんできたら、洗剤を付けてその表面を奇麗に拭き取れば、何時までも消臭効果が発揮出来るものとなる。尚、本発明品を１ヵ月連続使用しても電気代が１０円前後と言う格安で大変経済的なものであることが確認出来た。また本発明品には動く部分がないので、故障が殆どなく、維持管理に殆ど手間が掛らない。更に電極（１）,（２）に誤って手を触れても、片側だけ触れる場合が殆どであるので、全く電気ショックを感じないものである。
【０００８】
次に本実施形態の電極（１）,（２）の大きさの違いによる消臭効果の変化を表１に示す。実験条件としては、６畳の部屋の中央にニラ２００ｇを置いて臭気の発生源とし、この臭いが消えて行く日数を測定した。電極（１）,（２）としてはキリンス処理されたステンレス板を用いて大きさを変化させ、電源としては１２Ｖで１６０μAを１日中流して５日間実験を行った。この時の評価として、×は「効果なし」、△は「少し臭いが消えた」、○は「殆ど臭いが消えた」、◎は「完全に臭いが消えた」を示す。
【０００９】
【表１】
0003761711.tif 000002
【００１０】
前記板状の電極（１）,（２）の材質と表面処理の違いによる消臭効果の変化を表２に示す。実験条件としては、６畳の部屋の中央にニラ２００ｇを置いて臭気の発生源とし、この臭いが消えて行く日数を測定した。電極（１）,（２）としては２０cm×３０cmの大きさの板を用いて材質と表面処置を変化させ、電源としては１２Ｖで１６０μAを１日中流して５日間実験を行った。この時の評価として、×は「効果なし」、△は「少し臭いが消えた」、○は「殆ど臭いが消えた」、◎は「完全に臭いが消えた」を示す。
【００１１】
【表２】
0003761711.tif 000003
【００１２】
次に本発明品が臭気の種類に対してどの程度対応するか、消臭効果の確認実験を行い、各臭気の種類毎の消臭効果の変化を表３に示す。実験条件としては、６畳の部屋の中央に臭気の発生源を各種順番に１つだけ置き、この臭いが消えて行く日数を測定した。電極（１）,（２）としては、キリンス処理されたステンレス板でその大きさとしては２０cm×３０cmのものを用いる。また電源としては１２Ｖで１６０μAを流す場合をＡとし、６Ｖで７０μAを流す場合をＢとする２通りについて５日間の実験を行った。また臭気の種類としては、▲１▼ニラ２００ｇ，▲２▼鯖１Kg，▲３▼１塊を摺って容器に入れたニンニクを用意した。この時の評価として、上記実験と同様に×，△，○，◎で示す。
【００１３】
【表３】
0003761711.tif 000004
【００１４】
各電極（１）,（２）が臭気の種類に対してどの程度対応するか、消臭効果の確認実験を行い、各臭気の種類毎の消臭効果の変化を表４に示す。実験条件としては、６畳の部屋の中央に臭気の発生源を各種順番に１つだけ置き、この臭いが消えて行く日数を測定した。電極（１）,（２）の大きさとしては２０cm×３０cmのものを用い、電源としては１２Ｖで１６０μAを流して５日間実験を行った。また臭気の種類としては、▲１▼ニラ２００ｇ，▲２▼鯖１Kg，▲３▼１塊を摺って容器に入れたニンニクを用意した。この時の評価として、上記実験と同様に×，△，○，◎で示す。
【００１５】
【表４】
0003761711.tif 000005
【００１６】
上記の表１〜表４に示すように板状の電極（１）,（２）の大きさの違いによる消臭効果の変化は、大きく成る程消臭効果も徐々に大きくなるが、１日中直流の低電圧で且つ微弱電流を流し続けた状態で使用する本発明品に於いては、予め空中放電された雰囲気中に、臭気の発生物質が置かれた状態となるため、消臭効果は徐々に発揮され、電極（１）,（２）の大きさは余り気に掛けることはないと思われる。また電極（１）,（２）の材質と表面処理の違いによる消臭効果の変化は、銅板が良好であり、表面処理した方がより消臭効果が発揮されるので、銀メッキした銅板が最良であるが、キリンス処理されたステンレス板でも銅板と同程度の消臭効果が発揮出来ることが確認された。本発明の消臭効果の対象物としては、野菜や魚などの臭いに対して即効的な消臭効果は無理であるが、徐々に且つ確実に消臭効果を発揮させることは可能である。更に電圧と電流が大きくなるに従って脱臭効果も大きくなるが、室内の広さ或いは臭気や異臭の種類に応じて低電圧と微弱電流を決定すれば良い。又、図３に示す携帯用の本発明品を自動車内に設置すると、タバコの臭いなども消えることが、実験結果から確認されている。尚、板状の電極（１）,（２）の配置は、上記のように必ずしも対向させなくとも良く、例えば１ｍ前後離すと共に斜めに配置しても同様の消臭効果が確認できた。又、電極（１）,（２）を対向させる最大距離としては２.７ｍ迄が良い。更に電極（１）,（２）として網体や線材を用いれば、緩やかであるが同様の消臭効果を得ることが出来ることも確認出来た。
【００１７】
【発明の効果】
本発明はこのように構成させたことにより、下記に記載する効果を有する。
【００１８】
請求項１のように室内（５）の壁などに対向させて配置した２つの電極（１）,（２）と、該電極（１）,（２）間にプラスとマイナスの直流で６Ｖ〜１２Ｖの低電圧を印加させると共に７０μA〜１６０μAの微弱電流を流すための線材（３）及び電源装置（４）とから構成させることにより、従来のような複雑で大掛かりな構造の装置が不要で、且つ高電圧などを印加させる必要がないので、取扱いや維持管理が簡単に出来ると共に安全に使用することが出来る。また本発明品は動く部分がないので、故障が殆どなく、電気代も極めて安く、しかも構造が極めて簡単であるため、本発明品が安価に提供できるものとなる。尚、本発明品を台所に設置すると、生ゴミなどや室内に放置した野菜等の臭いも消臭できる。又、本発明品を、痴呆症の患者の居る部屋或いは犬や猫などのペットを室内で飼っている部屋に設置すると、悪臭が消えるものとなる。
【００１９】
請求項２のように電極（１）,（２）として銅板を使用すれば、極めて効率良く消臭効果を発揮出来るものとなる。またキリンス処理したステンレス板を使用することにより、錆びることなく且つ表面の汚れを落す際に表面処理が剥がれる心配がなく、何時までも使用できるので、維持管理がより簡単になる。更に銀メッキを施した銅板を使用すれば、消臭効果がより効率良く発揮出来ると共に錆びにくく維持管理が簡単になる。
【００２０】
請求項３に示すように電極（１）,（２）として銅又はステンレスの網体或いは線材を用い、それを対向或いは少し離して配置させることにより、請求項１と同様の消臭効果を得ると共に、特に電源装置（４）の上面或いは側面へ直接に電極（１）,（２）を設けると、コンパクトな装置として形成することが可能となり、携帯用としても利用出来るものとなる。
【図面の簡単な説明】
【図１】本発明の実施形態の要部構造を示す説明図である。
【図２】本発明で用いる本実施形態を示す回路図である。
【図３】本発明品が携帯用として形成された状態を示す説明図である。
【符号の説明】
１,２  電極
３  線材
４  電源装置
５  室内
【図１】
0003761711.tif 000006
【図２】
0003761711.tif 000007
【図３】
0003761711.tif 000008